(57)【要約】  【課題】揺りかごなどのような小型な装置でも画像表示手段を装備して早期の乳幼児教育に適したシステムを実現する。  【解決手段】揺りかごの上枠の身長方向の両端側に支持アームを取付けると共に、それぞれの支持アームの上端側を、支持スタンドに支持した水平軸の回りに往復回動可能に支持してあるので、支持スタンドに支持された状態で揺りかごは水平軸を支点にして往復揺動できる。しかも、揺りかごと一体的に揺動するように画像表示パネルを取付けて、揺りかごと一緒に画像表示パネルも揺動する構成を採っているので、揺りかごの中の乳幼児か見た場合、揺りかごが揺動しても画像表示パネルは静止して見えるので、揺りかご中で寝ながら、又は楽な姿勢で画像表示パネルを見て乳幼児教育を受けることができる。【選択図】図１
2010115215.tif 000002
【特許請求の範囲】
【請求項１】
揺りかごの少なくとも上枠の身長方向の両端側に上下方向の支持アームを取付け固定すると共に、それぞれの支持アームの上端側を、支持スタンド側に支持した水平軸の回りに往復回動可能に支持し、かつ揺りかごと一体的に揺動するように画像表示手段を取付けて、揺りかごと一緒に画像表示手段も揺動する構成としたことを特徴とする画像表示手段つき揺りかご。
【請求項２】
揺りかごを往復揺動させるための駆動モータを、前記支持スタンドに取付けて、その出力で前記の水平軸又は支持アーム上端側が往復回転可能な構造としたことを特徴とする請求項１に記載の画像表示手段つき揺りかご。
【請求項３】
揺りかごの上枠と底枠との間の側壁部は布などのシート類又はネット類で形成されていることを特徴とする請求項１または請求項２に記載の画像表示手段つき揺りかご。
【請求項４】
モータの回転力を揺りかごの往復揺動に変換するためのリンク機構を、モータ出力軸と前記の水平軸側又は揺りかご側との間に介在させてあることを特徴とする請求項１、請求項２または請求項３に記載の画像表示手段つき揺りかご。
【請求項５】
揺りかごの少なくとも上枠の身長方向の両端側に上下方向の支持アームを取付け固定し、それぞれの支持アームの上端側を、支持スタンド側に支持した水平軸の回りに往復回動可能に支持し、かつ揺りかごと一緒に画像表示手段も揺動するように、薄型の画像表示手段を取付け支持可能な構造としたことを特徴とする画像表示手段つき揺りかご。
【発明の詳細な説明】
【技術分野】
【０００１】
本発明は、乳幼児の段階から情操教育などに適した画像表示装置を装備可能な揺りかごに関する。
【背景技術】
【０００２】
我が国は、社会的にも地球環境的にも、また経済的にも、かつて経験したことの無いような困難な問題に直面している。外的環境に由来する問題も有るが、このような各種問題に対処するには、幼児の段階から、英知をフルに発揮して諸問題を効果的に解決できるような教育が不可欠である。
人材の育成は、可能な限り早期に初期的段階から開始するのが有効であり、早期教育が成功すれば、その後の段階の負担は格段と軽減可能である。
従って、幼児教育が最も重要であり、幼児に負担とならないで、かつ楽しく実現するには、揺りかごを使用する際に同時に乳幼児教育も可能なシステムが最も有効である。
【０００３】
特許文献１によると、乳幼児を寝かせる揺り籠において、乳幼児の泣き声等を音声センサーでキャッチして自動的に揺動するように、機台に揺り籠を支軸をもって左右揺動自在に枢架し、該揺り籠をモーターとその回転軸に連設したドラム、リンク、クランク等からなる揺動手段で支軸を中心として左右に揺動するように備え、また、音声をキャッチしてモーターその他の電気機器を作動する音声センサーを備えた自動式揺り籠が提案されている。
【特許文献１】特開平８−１６４０４０
【発明の開示】
【発明が解決しようとする課題】
【０００４】
しかしながら、特許文献１記載の自動式揺り籠は、乳幼児教育が可能な画像表示装置の必要性は何ら提示しておらず、またベビーベッド構造なため大型となり、大出力の駆動モータが必要である。しかも、狭い日本の家屋には適しない。
本発明の技術的課題は、このような問題に着目し、揺りかごなどのような小型な装置でも画像表示手段を装備して早期の乳幼児教育に適したシステムを実現することにある。
【課題を解決するための手段】
【０００５】
本発明の技術的課題は次のような手段によって解決される。請求項１は、揺りかごの少なくとも上枠の身長方向の両端側に上下方向の支持アームを取付け固定すると共に、それぞれの支持アームの上端側を、支持スタンド側に支持した水平軸の回りに往復回動可能に支持し、かつ揺りかごと一体的に揺動するように画像表示手段を取付けて、揺りかごと一緒に画像表示手段も揺動する構成としたことを特徴とする画像表示手段つき揺りかごである。
このように、揺りかごの少なくとも上枠の身長方向の両端側に上下方向の支持アームを取付け固定すると共に、それぞれの支持アームの上端側を、支持スタンド側に支持した水平軸の回りに往復回動可能に支持してあるので、支持スタンドに支持された状態で揺りかごは水平軸を支点にして往復揺動できる。
さらに、揺りかごと一体的に揺動するように画像表示手段を取付けて、揺りかごと一緒に画像表示手段も揺動する構成を採っているので、揺りかごの中の乳幼児か見た場合、揺りかごと一緒に揺動する画像表示手段は静止して見えるので、揺りかごの中で寝ながら、あるいは楽な姿勢で画像表示手段を見て乳幼児教育を受けることができる。
【０００６】
請求項２は、揺りかごを往復揺動させるための駆動モータを、前記支持スタンドに取付けて、その出力で前記の水平軸又は支持アーム上端側が往復回転可能な構造としたことを特徴とする請求項１に記載の画像表示手段つき揺りかごである。
このように、揺りかごを往復揺動させるための駆動モータを、前記支持スタンドに取付けて、その出力で前記の水平軸又は支持アーム上端側が往復回転可能としてあるため、モータによって水平軸を往復回転させ、あるいは支持アーム上端側を往復回転させることによって、揺りかご全体を自動的に往復揺動させることができる。
【０００７】
請求項３は、揺りかごの上枠と底枠との間の側壁部は布などのシート類又はネット類で形成されていることを特徴とする請求項１または請求項２に記載の画像表示手段つき揺りかごである。
このように、揺りかごの上枠と底枠との間の側壁部は布などのシート類又はネット類で形成されているため、ベビーベッド構造と違って軽量化でき、モータでも容易に自動的に往復揺動できる。また、底枠に底板を取付ければ、ハンモック状と違って複数の乳幼児を安定的に収容することも可能となる。
【０００８】
請求項４は、モータの回転力を揺りかごの往復揺動に変換するためのリンク機構を、モータ出力軸と前記の水平軸側又は揺りかご側との間に介在させてあることを特徴とする請求項１、請求項２または請求項３に記載の画像表示手段つき揺りかごである。
このように、モータの回転力を揺りかごの往復揺動に変換するためのリンク機構を、モータ出力軸と前記の水平軸側又は揺りかご側との間に介在させてあるため、モータ出力軸の連続回転運動を揺りかごの往復揺動運動に容易に変換できる。なお、モータ出力軸とリンク機構との間に、減速機構などを設けることが望ましい。
【０００９】
請求項５は、揺りかごの少なくとも上枠の身長方向の両端側に上下方向の支持アームを取付け固定し、それぞれの支持アームの上端側を、支持スタンド側に支持した水平軸の回りに往復回動可能に支持し、かつ揺りかごと一緒に画像表示手段も揺動するように、薄型の画像表示手段を取付け支持可能な構造としたことを特徴とする画像表示手段つき揺りかごである。
このように、それぞれの支持アームの上端側を、支持スタンド側に支持した水平軸の回りに往復回動可能に支持し、かつ揺りかごと一緒に画像表示手段も揺動するように、薄型の画像表示手段を取付け支持可能な構造としたため、画像表示手段を取付けたことで、モータの負担が増すこともなく、揺りかごに装備したことで違和感も無く、危険性か増すような恐れなく、早期の乳幼児教育に好適である。
【発明の効果】
【００１０】
請求項１のように、揺りかごの上枠の身長方向の両端側に上下方向の支持アームを取付け固定すると共に、それぞれの支持アームの上端側を、支持スタンド側に支持した水平軸の回りに往復回動可能に支持してあるので、支持スタンドに支持された状態で揺りかごは水平軸を支点にして往復揺動できる。
さらに、揺りかごと一体的に揺動するように画像表示手段を取付けて、揺りかごと一緒に画像表示手段も揺動する構成を採っているので、揺りかごの中の乳幼児か見た場合、揺りかごと一緒に揺動する画像表示手段は静止して見えるので、揺りかごの中で寝ながら、あるいは楽な姿勢で画像表示手段を見て乳幼児教育を受けることができる。
【００１１】
請求項２のように、揺りかごを往復揺動させるための駆動モータを前記支持スタンドに取付けて、その出力で前記の水平軸又は支持アーム上端側が往復回転可能としてあるため、モータによって水平軸を往復回転させ、あるいは支持アーム上端側を往復回転させることによって、揺りかご全体を自動的に往復揺動させることができる。
【００１２】
請求項３のように、揺りかごの上枠と底枠との間の側壁部は布などのシート類又はネット類で形成されているため、ベビーベッド構造と違って軽量化でき、小型のモータでも容易に自動的に往復揺動できる。また、底枠に底板を取付ければ、ハンモック状と違って複数の乳幼児を安定的に収容することも可能となる。
【００１３】
請求項４のように、モータの回転力を揺りかごの往復揺動に変換するためのリンク機構を、モータ出力軸と前記の水平軸側又は揺りかご側との間に介在させてあるため、モータ出力軸の連続回転運動を揺りかごの往復揺動運動に容易に変換できる。なお、モータ出力軸とリンク機構との間に、減速機構などを設けることが望ましい。
【００１４】
請求項５のように、それぞれの支持アームの上端側を、支持スタンド側に支持した水平軸の回りに往復回動可能に支持し、かつ揺りかごと一緒に画像表示手段も揺動するように、薄型の画像表示手段を取付け支持可能な構造としたため、画像表示手段を取付けたことで、モータの負担が増すこともなく小型の電池式のモータでも駆動可能となり、揺りかごに装備したことで違和感も無く、危険性か増すような恐れなく、早期の乳幼児教育に好適である。
【発明を実施するための最良の形態】
【００１５】
次に本発明による画像表示装置つき揺りかごが実際上どのように具体化されるか実施形態を説明する。図１は本発明による画像表示装置つき揺りかごの一実施形態の全容を示す斜視図であり、揺りかご１の身長方向の両端が支持スタンド２に、往復揺動可能に取付け支持されている。
揺りかご１は、底板３が交換可能に取付け支持された底枠４を、ネットＮによって上枠５に吊り下げた構造になっている。
この揺りかご１の中で左右方向に乳幼児が寝ることができるように、左右方向が寝た状態の乳幼児の身長の方向である。従って、底板３や底枠４、上枠５は、内部で寝た状態の乳幼児の身長より長く、例えば８０〜１２０ｃｍ程度の長さが適している。幅方向は、一人用の場合は、例えば４０〜５０ｃｍ程度、複数人用の場合は、例えば５０〜８０ｃｍ程度が適している。
【００１６】
底板３や底枠４、上枠５は、ほぼ長方形状において、その身長方向の両端を円弧状に形成してあり、上枠５の身長方向の両端に、取付け用の支持アームＡ１、Ａ２を上下方向に取付け固定してある。支持アームＡ１、Ａ２は、上枠５だけでは不安定な場合は、底枠４まで延長して底枠４にも固定すると、揺りかご１の全体が一体的に安定揺動するのでモータ駆動も円滑となる。
図２は、支持アームＡ１、Ａ２と駆動モータとの連結部を示す部分断面側面図であり、モータユニットＵの往復動軸によって水平軸６が往復回転される。
この水平軸６と一対の支持アームＡ１、Ａ２の上端とが連結固定されていて、一緒に往復回転する。この場合、直接に連結固定してもよいが、図示の場合は、ブラケット７を介して連結固定されている。
【００１７】
一方、支持スタンド２は、一対の基礎パイプ８、９を互いに平行状態に配置して、中間を連結パイプ１０で連結して強化し、それぞれの基礎パイプ８、９の両端が立ち上がって支柱８１・８２、９１・９２を形成している。
基礎パイプ８と連結パイプ１０間、並びに支柱８１・８２との間は着脱構造になっている。また、基礎パイプ９と連結パイプ１０間、並びに支柱９１・９２との間は着脱構造になっているので、分解組立てが容易である。
図の左側の支柱８１・８２は上端寄りの間隔が次第に狭くなり、上端は軸受けブラケット１１と連結固定されている。右側の支柱９１・９２も全く同様に上端寄りの間隔が次第に狭くなり、上端は軸受けブラケット１２と連結固定されている。
図２のように、右側の軸受けブラケット１２に開けた水平方向の貫通孔に前記の水平軸６を挿通して、その一端をモータユニットＵの往復動軸と連動可能にしてあり、他端を揺りかごの連結ブラケット７と連結固定してある。従って、モータユニットＵの往復動軸が往復回転すると、水平軸６と連結固定されている連結ブラケット７を介して一対の支持アームＡ１、Ａ２並びに揺りかご１が一緒に往復揺動し、揺りかごとして往復揺動する。
【００１８】
図３はモータユニットＵの内部構造であり、モータＭの出力軸に連結固定されたウォームＷと噛み合うウォームギアＧの偏心位置にリンクＬを軸支連結してある。前記連結ブラケット７の前記水平軸６より下側の位置に、前記リンクＬの他端を支軸で連結してある。
従って、モータＭの出力軸とウォームＷが連続回転してウォームギアＧが減速回転すると、リンクＬの左端の回転運動が右側では、矢印ａ１方向の往復揺動となって、連結ブラケット７と一対の支持アームＡ１、Ａ２と揺りかご１を往復揺動させる。この場合は、連結ブラケット７と水平軸６は、必ずしも連結固定する必要はなく、水平の支軸６を中心にして連結ブラケット７が往復揺動できれば足りる。
【００１９】
このように図３では、リンクＬによって連結ブラケット７に往復揺動力を伝達しているが、往復揺動体（７）もモータユニットＵ中に内蔵した構造とし、水平軸６を往復回転させて、この水平軸６の往復回転力によって、図１、図２の連結ブラケット７を往復揺動させる構造も可能である。
この場合は、図２のように連結ブラケット７と水平軸６は固定し、水平軸６が支持スタンド２の軸受けブラケット１２に対し往復回転することになる。
このほか、揺りかごの底枠４や上枠５、支持アームＡ１、Ａ２に前記リンクＬを連結して、直接揺りかご１側をモータユニットＵの前記リンクＬで往復揺動させることも可能である。
【００２０】
図１に示すように、図の左側の連結ブラケット７に蛇管１３の一端を取付け固定し、他端に、画像表示手段として、液晶式やプラズマ式などの薄型の画像表示パネル１４を取付けてある。従って、揺りかご１が往復揺動すると、同時に画像表示パネル１４も一緒に往復揺動するので、揺りかご１の中の乳幼児は、寝ながらでも画像表示パネル１４を見て、早期の乳幼児教育を受けることができる。
蛇管１３を介して画像表示パネル１４を取付けてあるので、好みに応じて、画像表示パネル１４の角度や位置は自由に変更可能である。この蛇管１３は、連結ブラケット７に限らす、支持アームＡ１、Ａ２や揺りかごの上枠５側に取付けることも可能である。
また、蛇管１３と連結ブラケット７との間、および／又は画像表示パネル１４との間を自在継手で連結すると、画像表示パネル１４の向きや位置の調節が容易になる。なお、画像表示装置１４は、液晶式やプラズマ式などの薄型パネル構造が好適である。容易に軽量化でき、乳幼児の上側位置に装備しても安全である。
【００２１】
以上の構成において、一対の支持アームＡ１とＡ２を間隔をおいて上方の連結ブラケット７と連結することで、堅牢な構造にしてあるが、強度の高い単一の支持アームで連結支持することも可能である。
揺りかご１が誤動作や誤操作によって不用意に動き出さないように、底枠４と一対の基礎パイプ８、９又は支柱８２・９２とを、連結手段１５で、不使用時に連結可能にしておくと安全である。内部で乳幼児があばれたりした場合でも、揺りかご１の安定性を確保でき、安全、安心である。
【００２２】
底枠４と上枠５間のネットＮに代えて、布や合成樹脂シートなどで代用してもよい。布を用いる場合、オーガンジーなどのネット状を用いてもよい。なお、図１において×印部は溶接などによる連結部である。
図４のように、一対の基礎パイプ８、９と立ち上がり支柱８１・８２間、９１・９２間の角部を、保護用のコーナーカバー１６の中に挿入しておくと、コーナーカバー１６の底面が広いために、揺りかご１全体の安定性が増し、しかも畳の上に置いても凹んで損傷することも防止できる。
【００２３】
また、図３に示すリンクＬにスプリンクＳを介在させることによって、ウォームギアＧの動きがスプリンクＳによる緩衝手段を介して連結ブラケット７に伝わる構造にすると、揺りかごが衝撃的な動きをすることはなくと、常に多少遅れて緩慢でソフトな動きになる。また、モータの起動時には揺りかごの往復揺動のストロークが小さく、次第に慣性によって大きなストロークとなる。
図１の左右の連結ブラケット７〜７の間隔が、揺りかご１の重みで接近することを防止するべく、連結ブラケット７〜７間に支えのバーを挿入することもでき、この支持バーを中心にして揺りかご１が往復揺動する構造も可能である。
【００２４】
揺りかご１中の乳幼児の上に支持バーも設けることを嫌う場合は、基礎パイプ８、９から延長バーを左右に延長させて、それぞれの先端とそれぞれの連結ブラケット７・７との間にワイヤーを張って、揺りかご１の重みで連結ブラケット７〜７の間隔が接近するのを防ぐことも可能である。
連結ブラケット７・７と一対の支持アームＡ１、Ａ２との間に、前記の支持水平軸６と直交する方向の水平軸を介在させることによって、左右の一対の支持アームＡ１、Ａ２が、該水平軸を中心にして揺りかご１の揺動方向と直角方向（内部の乳幼児の身長方向）のみに回動可能とすることによって、連結ブラケット７〜７の間隔が変化することによる問題を吸収できる。
【００２５】
以上のように、揺りかご１に画像表示パネル１４を装備してあるので、乳幼児が泣き出したりした場合は、その音声を検出して、当該乳幼児の好みの音楽や画像が自動的に始動する構成にすると、安心であり、母親の負担が軽減される。
なお、泣き止んだことを検出したら、当該乳幼児の早期乳幼児教育用のソフトを始動させることも可能である。
画像表示パネル１４に表示される内容は、テレビなどと同様に音声による解説も併用できることは当然であり、各種の物語などの表示解説や各種の乳幼児教育用のプログラムなどのソフトも使用可能とする。
【産業上の利用可能性】
【００２６】
以上のように、本発明によると、揺りかごの往復揺動と一緒に薄型の画像表示パネルも往復揺動する構造になっているので、揺りかごの内部の乳幼児は画像表示装置を見て早期の乳幼児教育を受けることができる。
このようにパネル型の映像機器を装備することで、乳幼児の情操教育に好適で、母親や家族の声や映像、同年代の乳幼児が保育園などで遊んでいる音声や画像、美しい自然の様子などを揺りかごの中でいつでも利用可能となるので、母親の育児恐怖症や育児ノイローゼなどの防止にも有効で、少子化社会の問題解決にも寄与できる。
【図面の簡単な説明】
【００２７】
【図１】本発明による画像表示装置つき揺りかごの一実施形態の全容を示す斜視図である。
【図２】片方の一対の支持アームと駆動モータとの連結部を示す部分断面側面図である。
【図３】モータユニットの内部構造を示す側面図である。
【図４】コーナーカバーの詳細を示す斜視図である。
【符号の説明】
【００２８】
１  揺りかご
２  支持スタンド
３  底板
４  底枠
Ｎ  ネット
５  上枠
Ａ１・Ａ２  支持アーム
Ｕ  モータユニット
６  水平軸
７  ブラケット
８・９  基礎パイプ
１０  連結パイプ
８１・８２、９１・９２  立ち上がり支柱
１１・１２  軸受けブラケット
１３  蛇管
１４  画像表示装置（画像表示パネル）
１５  連結手段
１６  コーナーカバー
【図１】
2010115215.tif 000003
【図２】
2010115215.tif 000004
【図３】
2010115215.tif 000005
【図４】
2010115215.tif 000006